(57)【特許請求の範囲】
【請求項１】
左右１対の側板と、この側板の対向面に後部左右両端が取付けられて前後方向に傾動可能な傾斜棚板と、この傾斜棚板の前部に延設された物品支持片と、前記側板の対向面の上下方向に多数穿設された係止孔に着脱可能に装着されて前記傾斜棚板が所望の角度となるように裏面から受け止める支持体とを備え、前記支持体に、側板から離間する規制片を設け、側板と前記規制片との間に傾斜棚板の裏面の一部を受け入れて、傾斜棚板の左右方向への位置ずれを規制するようにしたことを特徴とする商品陳列用傾斜棚装置。
【請求項２】
側板の係止孔に着脱可能に装着された左右１対の支点体に互いに向き合って突設された左右１対の支点軸に、傾斜棚板の上部左右両側に設けられた左右１対のフック片を係合させることによって、側板に傾斜棚板を前後傾動可能に設けたことを特徴とする請求項１記載の商品陳列用傾斜棚装置。
【発明の詳細な説明】
【０００１】
【発明の属する技術分野】
本発明は、商品、例えば、本、雑誌、レンタルビデオ等をそれらの表紙、あるいはタイトルが見えるように陳列する傾斜棚を備えた商品陳列用傾斜棚装置に関する。
【０００２】
【従来の技術】
従来、商品陳列用傾斜棚装置は、図８に示すように、傾斜棚板(30)の傾斜角を所望の角度に変更できるように、傾斜棚板(30)の左右上部両側を、左右１対の側板(31)の対向面(31a)に回転可能に設け、かつ傾斜棚板(30)の中間部を、リンク片(32)を介して側板(31)に連結し、そのリンク片(32)の下端を、側板(31)に対して取付け位置を選択できるようにしてある。
【０００３】
【発明が解決しようとする課題】
しかし、従来の商品陳列用傾斜棚装置は、傾斜棚板がリンク片によって側板に対して支持されているため、左右方向の強度が不十分であって、人がぶつかったときや、地震のとき等に、傾斜棚板が左右方向に揺れて、傾斜棚板上の物品が落下する恐れがある。
【０００４】
本発明は、上記の問題点に鑑み、傾斜棚板を左右方向に揺れにくくして、物品の落下を防止し得る商品陳列用傾斜棚装置を提供することを目的としている。
【０００５】
【課題を解決するための手段】
本発明によると、上記課題は、次のようにして解決される。
(１)  左右１対の側板と、この側板の対向面に後部左右両端が取付けられて前後方向に傾動可能な傾斜棚板と、この傾斜棚板の前部に延設された物品支持片と、前記側板の対向面の上下方向に多数穿設された係止孔に着脱可能に装着されて前記傾斜棚板が所望の角度となるように裏面から受け止める支持体とを備え、前記支持体に、側板から離間する規制片を設け、側板と前記規制片との間に傾斜棚板の裏面の一部を受け入れて、傾斜棚板の左右方向への位置ずれを規制するようにする。
【０００６】
(２)  上記(１)項において、側板の係止孔に着脱可能に装着された左右１対の支点体に互いに向き合って突設された左右１対の支点軸に、傾斜棚板の上部左右両側に設けられた左右１対のフック片を係合させることによって、側板に傾斜棚板を前後傾動可能に設ける。
【０００７】
【発明の実施の形態】
以下、本発明の実施の形態を、図１〜図７に基づいて説明する。
【０００８】
図１及び図２に示すように、商品陳列用傾斜棚装置(１)は、左右１対の側板(２)と、支点体(３)と、傾斜棚板(４)と、支持体(５)(６)とを備えている。
【０００９】
左右１対の側板(２)には、対向面(2a)に上下方向に並べられた長方形状の係止孔(7a)(7b)が前後２列に亘って穿設されている。
【００１０】
図３に示すように、支点体(３)は、傾斜棚板(４)の後部を側板(２)に支持する部品であって、係止孔(7a)(7b)に係合可能な係合片(８)(９)が上下に１対突設され、その係合片(８)(９)と逆向きに支点軸(10)が突設されている。
【００１１】
図４に示すように、傾斜棚板(４)は、物品が陳列される棚板であり、物品受け板(11)の左右両側には(一方のみ図示)、後向きに設けられ、かつ鉤状の補強用側片(13)の上部の上記支点軸(10)に、着脱係合可能な下向きに開口するフック片(14)が取り付けられている。傾斜棚板(４)を補強するため、物品受け板(11)の上部には、後方に側面視逆Ｕ状に屈曲した補強片(15)が設けられ、中間部には、左右方向に向いた側面視コ字状の補強体(16)が設けられている。
【００１２】
物品受け板(11)の下端は、前方に屈曲しており、その屈曲した部分は、物品受け板(11)の裏側に取付けられて、その裏側から後方に延びた補強板(17)と重なって物品支持片(18)を形成している。
【００１３】
さらに、物品受け板(11)の側端部の中間部から下端にかけて、物品受け板(11)と平行な断面コ字状の側片(19)が設けられている。
【００１４】
図５及び図６に示すように、支持体(５)(６)は、傾斜棚板(４)を裏面から支持する部品であって、取付時に側板(２)と対向する規制片(20)を有し、その規制片(20)の上下には、外方へほぼ直角に屈曲した上部片(21)、下部片(22)が対称に形成されている。
【００１５】
上部片(21)には、規制片(20)側に屈曲した上部係止片(23)が設けられ、下部片(22)の先端要所には、下部係止片(24)が突設されている。この上部、下部係止片(23)(24)は、側板(２)の係止孔(7a)(7b)に係合するようになっている。したがって、この支持体(５)(６)は、側板(２)に対して取付け位置を選択して着脱可能になっている。
【００１６】
なお、一方の支持体(５)は、向きを変えることによって、左側の側板(２)の後列の係止孔(7b)と、右側の側板(２)の前列の係止孔(7a)とに係合するようになっており、他方の支持体(６)は、向きを変えることによって、左側の側板(２)の前列の係止孔(7a)と、右側の側板(２)の後列の係止孔(7b)とに係合するようになっている。
【００１７】
次に組立順序を説明する。
【００１８】
まず、左右１対の支点体(３)を、側板(２)の選択した係止孔(7a)(7b)に係合させて、左右の側板(２)の対向面(2a)に装着する。
側板(２)に装着された支点体(３)上の支点軸(10)は、互いに向き合っており、その支点軸(10)に傾斜棚板(４)のフック片(14)を係合させる。傾斜棚板(４)は、側板(２)に前後傾動可能に吊り下げられた状態になる。
【００１９】
次に、支持体(５)(６)を、前列又は後列の係止孔(7a)(7b)から選択して係合させて、左右の側板(２)の対向面(2a)に装着し、傾斜棚板(４)を裏面から支持する。このとき、傾斜棚板(４)の側片(19)が、側板(２)と支持体(５)(６）の規制片(20)との間に入り込んで、支持体(５)(６)の上部片(21)又は下部片(22)に当接する。
【００２０】
側片(19)が、側板(２)と支持体(５)(６)の規制片(20)との間に入り込むことによって、傾斜棚板(４)の左右方向の位置規制がなされ、商品陳列用傾斜棚装置(１)が左右方向に揺れても、傾斜棚板(４)が側板(２)より大きく左右に揺れて、傾斜棚板(４)上の物品が落下することがない。
【００２１】
【発明の効果】
本発明によれば、次のような効果を奏することができる。
(ａ) 請求項１の本発明によると、側板に装着された支持体で傾斜棚板を受け止めて、傾斜棚板を側板に安定した状態で支持するため、商品陳列用傾斜棚装置が揺れても、傾斜棚板が側板より大きく左右に揺れることがなく、傾斜棚板上の物品の落下を防止することができる。
また、側板と規制片との間に傾斜棚板の背面の一部を受け入れると、傾斜棚板の左右方向への位置ずれが規制されて、傾斜棚板が側板より大きく左右に揺れることがなく、傾斜棚板上の物品の落下を防止することができる。
さらに、傾斜棚板が左右方向へ位置ずれ規制されていることによって、商品陳列傾斜棚装置が補強され、長期間使用しても、ほとんど歪むことがない。
【００２２】
(ｂ) 請求項２のように、支点軸にフックを係合させて、傾斜棚板を側板に支持させると、傾斜棚板の傾斜角を変更するとき、傾斜棚板を容易に傾動させることができる。
【図面の簡単な説明】
【図１】本発明の実施形態の商品陳列用傾斜棚装置の斜視図である。
【図２】本発明の実施形態の商品陳列用傾斜棚装置の１対の側板の間から一方の側板を見た図である。
【図３】支点体の斜視図である。
【図４】傾斜棚板の斜視図である。
【図５】支持体の斜視図である。
【図６】同じく、支持体の斜視図である。
【図７】傾斜棚板の傾斜角を変えた場合の図２に相当する図である。
【図８】従来の商品陳列用傾斜棚装置であって、図２に相当する図である。
【符号の説明】
(１)商品陳列用傾斜棚装置
(２)側板
(2a)対向面
(３)支点体
(４)傾斜棚板
(５)支持体
(６)支持体
(7a)係止孔
(7b)係止孔
(８)係合片
(９)係合片
(10)支点軸
(11)物品受け板
(13)補強用側片
(14)フック片
(15)補強片
(16)補強体
(17)補強板
(18)物品支持片
(19)側片
(20)規制片
(21)上部片
(22)下部片
(23)上部係止片
(24)下部係止片
【図１】
0003603248.tif 000002
【図２】
0003603248.tif 000003
【図３】
0003603248.tif 000004
【図４】
0003603248.tif 000005
【図５】
0003603248.tif 000006
【図６】
0003603248.tif 000007
【図７】
0003603248.tif 000008
【図８】
0003603248.tif 000009